(57)【要約】本発明は、比較的少量の遺骨粉などを溶融して舎利に成形する装置であって、第１実施例による装置は、本体と、本体の内部に収容される溶融部と、前記溶融部の前面側下端に備えられる採集部と、採集部の一側に備えられる塑性加工部と、作業者が直接遺骨粉を溶融処理するための携帯用ガストーチの点火を制御する点火部とを含んでなり、第２実施例による装置は、フレームと、メーンホッパーと、“Ｕ”字形のハウジングと、溶融した状態で供給される液状遺骨粉をカットするカッティング部と、複数の溝からなり、前記カットされる液状遺骨粉を誘導する回動ドラムと、前記回動ドラムを回動させるための手段としてのモーターとを含んでなる。少量の遺骨粉の処理、または作業時間を縮めさせるための舎利製造作業の場合、比較的簡単で速かに舎利製造作業が行うことができ、製品の信頼性を高める効果と、結晶体の形状がほぼ真円形になるようにする効果を期待することができる。【選択図】図２
2009538407.tif 000002
【特許請求の範囲】
【請求項１】
作業者の腕が本体から出入することができる投入口が本体の前面側の左右にそれぞれ形成され、投入口の間に透視窓が備えられ、本体の一側面にドアが備えられ、本体の他側にガス供給口及び酸素供給口が備えられ、冷却水流入及び流出口を持ち、本体の背面にガス及び酸素容器を収容するためのガス容器固定板が備えられる本体と；
水と配合されてゲル状になった遺骨粉を溶融させるための溶融加工部と；
前記溶融加工部で溶融されて舎利形態で落下する遺骨粉を粉末状のパウダーと混合処理して採集するための採集部と；
前記本体の一側に備えられ、携帯用ガストーチと連結され、前記溶融加工部に位置する遺骨粉のガス点火を制御する点火部と；
前記本体内部の一側に等間隔で備えられる複数のトーチを備え、前記溶融加工部で加工された舎利形態の遺骨粉を塑性する塑性加工部と；を含んでなることを特徴とする、舎利製造装置。
【請求項２】
前記溶融加工部は、上面に“Ｖ”字形でなる誘導溝を溶融加工部の長手方向に長く有し、前記溶融加工部の一側に冷却水が流入するための流入口と冷却水が流出するための流出口がそれぞれ備えられ、前記溶融加工部が前面側より後面側が高くなるように傾くことを特徴とする、請求項１に記載の舎利製造装置。
【請求項３】
４角部に支持部が形成され、前記支持部の間には、連結部がフレームの上下部分の前後側に形成され、もう一方の連結部が中間部分においてフレームの左右両部分のいずれか一側に形成され、他側にはコントローラー、センサー及び電源スイッチが備えられたボード板が形成され、フレームの最上端には装着板が形成されているフレームと；
溶融した遺骨液が注入できるように、前記装着板に形成されるメーンホッパーと；
前記メーンホッパーの下端から間隔を隔てて維持され、補助ホッパーが形成されており、前記補助ホッパーは上板に結合され、両側に形成された切開孔の一側下端には吐出口が備えられ、前記中間一側に形成された連結部とボード板の内側に熔接処理される“Ｕ”字形のハウジングと；
前記補助ホッパーの上側に備えられるもので、プレートの一側が前記支持部と上側連結部に固定されて、プレートの上部にシリンダーとピストンが備えられたプレートを有し、前記ピストンの端部には切断刃が備えられるカッティング部と；
前記ハウジング内に備えられるもので、外周面にスクリュー状の複数の溝が形成されている回動ドラムと；を含んでなり、
前記回動ドラムの一側には前記ハウジングの外側に備えられた駆動プーリーと連結され、前記駆動プーリーはメーンプーリーとベルトを介して連結され、前記メーンプーリーは前記下側連結部に低い位置で固定されたモーターによって連結されていることを特徴とする、舎利製造装置。
【請求項４】
前記メーンホッパーが熱線層を備えることを特徴とする、請求項３に記載の舎利製造装置。
【請求項５】
前記ハウジングの両側に形成された切開孔には固定部材３４が形成された状態で備えられ、前記固定部材の下端には前記回動ドラムが前記駆動プーリーの軸と連結され、前記固定部材の上端には回動取っ手が形成され、前記回動取っ手の回動によって前記回動ドラムとハウジングの間の間隔を調節することができることを特徴とする、請求項３に記載の舎利製造装置。
【発明の詳細な説明】
【技術分野】
【０００１】
本発明は死体の火葬後に遺骨から舎利を製造する装置に係り、より詳しくは火葬後に火葬された遺骨から遺骨粉の溶融状態を確認し、遺骨粉の物性強化のための工程を行うことにより、迅速で簡単な処理によってほぼ玉形の舎利を製造する装置に関するものである。
【背景技術】
【０００２】
“舎利”とはサンスクリット語のもので、仏陀、僧侶、またはその他の人の火葬した遺骨粉で見つかる小さな玉形の遺骨を意味する。通常、舎利は光り輝く真珠のように多様な色およびサイズを有する。以降の明細書において、“舎利”とは人体、つまり死体の火葬後に遺骨から形成される玉形の固形遺骨粉を意味する。
【０００３】
現在、ペットを飼う家庭が増加するにしたがい、ペットの数が幾何級数的に増えている成り行きである。しかし、経済的与件によって発生するかまたは家出することになる遺棄動物の死体、あるいは寿命が尽きたペットのような死体の場合、火葬処理することができる場所または施設などが充分でないため、そのままで捨てられるか、あるいは地に埋める方式でペットを称える形態が大部分であることは周知のようである。
【０００４】
一方、ペットの死体を火葬することになる場合、残った遺骨を保管するにあたっても、別途の納骨箱、納骨堂などが存在しないので、山や海などに散らして処理しているが、例外的な場合には、納骨箱などに保管して家庭に保管する場合もある。
【０００５】
しかし、前記のように納骨箱に保管する場合、遺骨の嫌悪な形態と、非衛生的で長期間保管時の腐敗などによる損傷が生じる問題点がある。
【０００６】
このような問題点などを克服するために、大韓民国特許庁に出願公開された特許登録出願第１０−２００４−３３２８３号のペット死体処理装置が開示されている。これは、死体を火葬処理して得た遺骨を染料とともに混合して玉形に改造する装置であるが、真円の球体に製造するのは困難である。
【０００７】
また、ペットの死体よりは、人間の死体を火葬処理して得ることになる遺骨を利用して舎利を製造するために、本出願人が大韓民国特許庁に出願した特許登録出願第１０−２００６−３４３９０号がある。ここで、死体から得られる遺骨粉を溶融するための装置などは、単一ラインでそのシステムが設置運営されなければならないが、その取付費の増加及び設置面積などをかなり要求することになるので、比較的小規模の遺骨粉を溶融、舎利化するための作業を要する場合には、非常に非経済的で非効率的な作業に寄るしかない問題点がある。
【発明の開示】
【発明が解決しようとする課題】
【０００８】
本発明の実施例の一面は、比較的少量または小規模の遺骨粉を溶融処理して舎利を製造する装置であって、舎利製造装置の設置面積を最小化し、多様な形状の舎利の製造を可能にする舎利製造装置を提供することである。
【０００９】
本発明の実施例の他の面は、人体または死体から得た遺骨粉を高温で加熱溶融させ、溶融液を再結晶させることにより、火葬後の遺骨粉から真円状の玉形の舎利を製造する舎利製造装置を提供することである。
【課題を解決するための手段】
【００１０】
前記目的を達成するために、本発明は、死体から得られる少量の遺骨粉を溶融させると同時に、一定形態を持つ舎利への塑性加工を可能にする舎利製造装置を提供する。
【００１１】
また、本発明は、死体から得た遺骨粉を先に溶融処理して得ることになる遺骨粉溶融液を利用して完全な球状の舎利を製造することが可能な舎利製造装置を提供する。
【発明の効果】
【００１２】
本発明によれば、少量の遺骨粉でまたは短い作業時間で舎利を製造する作業を要する場合、比較的簡単に作業者が舎利の溶融状態を確認しながら直接溶融処理して舎利を収得し、さらに舎利の物性強化のための塑性加工を可能にして、その作業を簡単で速やかに進めることができることはもちろんのこと、製品の信頼性を高める効果を期待することができる。
【００１３】
また、本発明によれば、比較的少量の遺骨粉を利用して舎利を製造するとき、単一装置による作業が可能であり、装置などを設置するのに必要な設置面積の最小化と、これによる空間活用度の増大を図る効果を期待することができる。
【００１４】
また、本発明によれば、舎利の製造において、結晶体の形状が比較的真円に近く結晶化させることが可能な効果を期待することができる。
【発明を実施するための最良の形態】
【００１５】
本発明の一実施例によれば、舎利製造装置が提供される。この舎利製造装置は、前面側に作業者の腕が出入することのできる投入口が左右にそれぞれ形成され、中央に透視窓が備えられ、一側面にドアが備えられ、他側にガス供給口及び酸素供給口が備えられ、冷却水流入及び流出口を持ち、背面下端にガス及び酸素容器を収容するためのガス容器固定板が備えられる本体と、水と配合されてゲル状になった遺骨粉を溶融させるための溶融加工部と、前記溶融加工部で溶融されて舎利形態で落下する遺骨粉を粉末状のパウダーと混合処理しながら採集するための採集部と、前記本体の内部一側に備えられ、携帯用ガストーチに連結され、前記溶融加工部に位置する遺骨粉のガス点火を制御する点火部と、前記本体の内部一側に左右に等間隔で配列される複数のトーチを備え、前記溶融加工部で加工された舎利形態の遺骨粉を塑性する塑性加工部とを含んでなる。
【００１６】
以下、本発明の実施例を添付図面に基づいて詳細に説明する。以降の説明において、本発明のより徹底した理解のために、特定要素などの特定詳細を開示する。しかし、当業者であれば、本発明がこれら特定詳細に限定されないことが明らかである。本発明は以下のように二つの実施例を提示する。
【実施例】
【００１７】
本発明による第１実施例は、添付図面の図１〜図４に示すように、比較的少量の遺骨粉などを溶融して舎利に成形するための装置として利用されるために、最適モジュールで構成される。この装置は、本体１００と、その本体１００の内部に収容される溶融部４００と、前記溶融部４００前面側下端に備えられる採集部５００と、溶融部４００の一側に備えられる塑性加工部２００と、作業者が直接遺骨粉を溶融処理するための携帯用ガストーチ３１０の点火を制御する点火部３００とから構成される。
【００１８】
前記本体１００は、本発明による舎利製造装置のハウジングに当たるもので、図１に示すように、本体１００の前面側に作業者の両腕が進入することができる投入口１１０を左右両側にそれぞれ構成し、前記両側投入口１１０の間に透視窓１２０を形成する。
【００１９】
前記透視窓１２０は遺骨分の溶融過程の際に発生する有害な光または強烈な光などを本体１００の内側から遮断して、作業者の視神経を保護すると同時に、本体１００の内部での遺骨粉溶融過程または冷却及び塑性過程などを視覚的に確認して作業するための構成である。
【００２０】
一方、前記本体１００の一側面には遺骨粉、またはその他の移動可能な採集部５００などを投入するか引き出すこと、あるいは本体１００の内部掃除などを容易にするために、本体１００の内部の開閉が可能なドア１３０を備える。
【００２１】
さらに、本体１００の他側面下端に、ガスを本体１００に供給するためのガス供給口１４２と前記ガス供給口１４２を通じて供給されるガスと適正混合比で混合するための酸素を供給する酸素供給口１４３を備え、溶融部４００の内部に冷却水を流入させるための冷却水流入口１４０を備え、流入した冷却水が溶融部４００を循環してから本体１００の外へ排出されるようにするための冷却水流出口１４１を備える。
【００２２】
また、前記本体１００の背面側には、ガス容器及び酸素容器などを据え置いて固定するためのガス容器固定板１５０が備えられるので、前記ガス供給口１４２及び酸素供給口１４３と配管またはその他のホースなどの連結手段を介して連結できるようにする。
【００２３】
一方、前記本体１００の上端部側に通気口１６０を形成し、その通気口１６０を通じて、本体１００の内部で発生する燃焼ガスなどが円滑に排出されるようにファン１７０を備える。前記ファン１７０を駆動させるためのモーターなどは公知のもので、図面には示されていない。
【００２４】
前記溶融部４００は、図１から図４に示すように、塑性加工部２００の一側に固定されるもので、前記遺骨粉を点火部３００の制御によって点火される携帯用ガストーチ３１０を用いて、高温に加熱溶融して流下するようにするとともに、本体１００の前面部下端に備えられる採集部５００によって固形化した遺骨粉、つまり舎利を収得するようにする構成である。
【００２５】
このような溶融部４００は、その上面が“Ｖ”字形の溝を形成してなる誘導溝４１０が長手方向に長く形成され、溶融部４００の一側に冷却水が流入するための流入口４２０と冷却水が流出するための流出口４３０がそれぞれ備えられ、冷却溶融部４００の内部を循環し、携帯用ガストーチ３１０によって加熱される溶融部４００を冷却させるようにする。
【００２６】
一方、前記溶融部４００は、液状遺骨分の自由な流動のために、前面側より後面側が高く構成されることが好ましい。
【００２７】
前記採集部５００は、前記溶融部４００の誘導溝４１０に沿って流動し、遺骨粉を点火部３００の携帯用ガストーチ３１０で加熱、溶融させて収得する液状溶融液が誘導溝４１０から下方に落下して採集されるようにするためのものである。
【００２８】
このような採集部５００の内部には、粉状のパウダーを収容し、前記溶融部４００から液状で流下する遺骨粉が採集部５００のパウダーと接触すれば、丸形に凝集するので、舎利形態を得ることができることになる。
【００２９】
すなわち、このような現象は、まるで水を小麦粉に落としたとき、水の凝集力によって丸形に凝集しながらも、その外表面に小麦粉が表面塗布処理される現象を利用したものである。
【００３０】
前記塑性加工部２００は、前記溶融部４００によって溶融処理され、溶融部４００の下端側の採集部５００で球形の舎利を得た後、その舎利を塑性加工するためのもので、図面に示すように、本体１００の内部一側に左右に複数が等間隔で離隔され、ガスなどを供給、点火するトーチ２１０を備えて、球形の舎利形態を持つ遺骨粉の外表面を加熱、塑性するようにすることが好ましい。
【００３１】
このように塑性加工を行えば、舎利の表面が壊れるかまたは亀裂が生じる現象を防止することができる。
【００３２】
前記点火部３００は、携帯用ガストーチ３１０を据え置くためのもので、作業者が前記溶融部４００に位置する遺骨粉を加熱、溶融させるとき、前記携帯用ガストーチ３１０の点火を制御するための手段である。
【００３３】
以下、前記のような構成の第１実施例による舎利製造装置によって舎利を製造する過程を説明する。
【００３４】
まず、前記第１実施例の装置を利用して舎利を製造するに先立ち、死体を火葬処理して得られる遺骨粉を水と一定配合比で混合して練る過程を経る。
【００３５】
このように練る理由は、遺骨分の質量がかなり小さいため、作業者が携帯用ガストーチ３１０で前記遺骨粉に直接火気を提供する場合、前記遺骨粉が飛散する現象が発生して、所望の溶融作業が不可能になるので、これを防止するためのものである。
【００３６】
このように、水と一定の混合比で混合処理して練られた遺骨粉を前記溶融部４００の上面側に形成される誘導溝４１０においた状態で、作業者は携帯用ガストーチ３１０を点火部３００の制御によって点火した後、前記誘導溝４１０に置かれた遺骨粉を加熱することになる。
【００３７】
この際、加熱温度は通常遺骨分の溶融が可能な１７００℃程度の温度範囲であることが好ましい。
【００３８】
一方、前記溶融部４００は、携帯用ガストーチ３１０から提供される火気によって加熱処理されて高温を維持することになるので、冷却処理のために別途のラインを通じて、つまり本体１００の側面に備えられた冷却水流入口１４０を通じて冷却水が流入した後、溶融部４００の側面に備えられた流入口４２０を通じて、溶融部４００の内部を循環した後、流出口４３０と本体１００の冷却水流出口１４１を通じて排出、循環されるようにする。
【００３９】
このように加熱される遺骨粉は、加熱火気などによって飛散しないで溶融処理されて液状に相変換され、前記勾配付き誘導溝４１０に沿って下方に誘導され、溶融部４００の前面側下端に備えられた採集部５００側に落下する。
【００４０】
前記採集部５００の内部には細かい粉末状態のパウダーを内蔵しているので、前記溶融処理された液状遺骨粉が採集部５００に落下するとき、前記パウダーと接触し、パウダーが液状遺骨粉をくるんで球形をなすことになる。
【００４１】
このように、落下する液状遺骨粉は一定流量の範囲内で持続的に落下するが、ゲル状の一定粘度を持っているので、採集部５００に落下する一定流量の液状遺骨粉の外表面にパウダーが塗布処理される現象によって、サイズは多様であるが一様に球形の舎利を得ることができるものである。
【００４２】
一方、前記の採集部５００に落下して球形の舎利を得ることになれば、その舎利の物性を強化するために、つまり易しく割れるか亀裂が生ずる現象を防止するために、採集部５００の側面に備えられた塑性加工部２００に前記舎利を位置させた後、適正温度で加熱して塑性加工処理した後、完成された舎利を得ることができるものである。
【００４３】
本発明の第２実施例は、死体を火葬して得られる遺骨粉を予め溶融処理した後、液状の遺骨粉から球形の舎利を製造する装置を開示するもので、図５〜図１３に示されている。
【００４４】
このような第２実施例による舎利製造装置は、フレーム１と、メーンホッパー２と、“Ｕ”字形のハウジング３と、溶融状態で供給される液状遺骨粉をカットするためのカッティング部４と、複数の溝５０が形成され、前記カットされる液状遺骨粉を誘導する回動ドラム５と、前記回動ドラム５を回動させるための手段としてのモーター６とからなる。
【００４５】
前記フレーム１は、ほぼ長方形のもので、４角部に支持部１０が形成され、前記支持部１０の間には、連結部１１が前記フレーム１の上下側の前後に備えられ、中間には連結部１１が前記フレーム１の左右両側のいずれか一側に形成され、他側には、コントローラー１４、センサー１５及び電源スイッチ１６が備えられたボード板１２が形成され、前記フレーム１の最上端には装着板１３が形成されている構造である。
【００４６】
すなわち、前記連結部１１は後述するカッティング部４またはモーター６などをメーンフレーム１に固定するための機能をするもので、前記連結部１１はその固有の機能をするものであれば、どんな形態であっても本発明に属するものである。
【００４７】
前記メーンホッパー２は、前記装着板１３に孔を穿孔して結合するもので、熔接処理するかその他の固定手段で着脱可能にすることも可能である。前記メーンホッパー２は、火葬処理された死体の遺骨粉を溶融処理し、溶融した液状遺骨粉を製造した後、前記遺骨溶融液を注入することができるように構成したものである。
【００４８】
好ましくは、前記溶融した遺骨液が前記メーンホッパー２に注入されるとき、熱損失によって固体化することを防止するために、前記メーンホッパー２の内側に熱線層２０を形成することで、遺骨液を注入する過程でも遺骨液の熱損失を防止するようにすることが好ましい。
【００４９】
前記ハウジング３は、ほぼ“Ｕ”字形のもので、具体的に前記メーンホッパー２の下端から所定間隔を置いて形成され、上板３１に補助ホッパー３０が形成される。前記補助ホッパー３０の位置は前記メーンホッパー２の位置と一致するようにし、両側には切開孔３２が形成され、前記切開孔３２の一側下端には吐出口３３が形成される。このように構成されたハウジング３を前記フレーム１に固定するために、中間一側に形成された前記連結部１１とボード板１２の内側にハウジング３を熔接処理して固定する。
【００５０】
好ましくは、前記ハウジング３の両側に形成された切開孔３２には固定部材３４が形成され、前記固定部材３４の下端には前記回動ドラム５が前記駆動プーリー６０の軸と連結されており、前記固定部材３４の上端には回動取っ手３５が形成され、前記回動取っ手３５の回動によって前記回動ドラム５とハウジング３の間の間隔調節ができるようにしたものである。
【００５１】
また、前記ハウジング３の上板３１を着脱可能にすることにより、ハウジング３の内部の補修及び洗浄を容易にすることができる。
【００５２】
前記カッティング部４は、プレート４０、シリンダー４１、ピストン４２、及び切断刃４３で構成される。具体的に、前記プレート４０は前記補助ホッパー３０の上側に位置し、前記プレート４０の一側が前記支持部１０と上側連結部１１に固定され、前記プレート４０の上部にはシリンダー４１とピストン４２が備えられ、前記ピストン４２の端部には切断刃４３が備えられる構造である。前記ピストン４２は、前記コントローラー１４とセンサー１５の調整によって、シリンダー４１の内側での移動間隔が調整できるようにし、前記ピストン４２の端部に形成された切断刃４３によって、前記メーンホッパー２に注入された遺骨液が補助ホッパー３０に落下する前にカットできるように、前記ピストン４２を前記メーンホッパー３０の間の適正な位置で出入可能にし、その時間間隔は前記コントローラー１４とセンサー１５の調整によって調整できるようにしたものである。
【００５３】
前記回動ドラム５は後述するモーター６０によって回動するようにし、具体的には、前記ハウジング３内に位置し、外周面にスクリュー形状の複数の溝５０が形成されている。
【００５４】
前記モーター６の駆動によって、前記回動ドラム５の一側に、つまり前記ハウジング３の外側に備えられた駆動プーリー６０と連結されているメーンプーリー６１とベルト６２が駆動され、前記駆動プーリー６０が駆動されることによって前記回動ドラム５が回動する。モーター６は前記下側連結部１１に固定結合されるように構成される。
【００５５】
前記本発明の第２実施例による舎利製造装置を利用して球形の舎利を製造する過程を説明すれば次のようである。
【００５６】
まず、前記メーンホッパー２に、予め別途の溶融装置等によって溶融させてなった遺骨液、つまり約１５００℃で溶融した遺骨液を注入することにおいて、前記コントローラー１４とセンサー１５を操作することで、前記切断刃４３の出入、つまりシリンダー４１にピストン４２が出入する時間間隔を調整して、使用者が望む時間間隔をセットすることになる。
【００５７】
このようにセットする理由は、遺骨液をカッティングして真円形の舎利を製造することにおいて、前記切断刃４３の出入時間の間隔によって舎利のサイズを調整することができるからである。
【００５８】
前記のように、コントローラー１４とセンサー１５を調整した後、電源スイッチ１６の操作によって電源を供給すれば、前記メーンホッパー２の内側に備えられた熱線層２０が１２００℃を維持する。このような状態で、前記メーンホッパー２に遺骨液を注入すれば、前記遺骨液が補助ホッパー３０に落下し、この際、一定間隔でピストン運動するピストン４２が、前記メーンホッパー２から注入された遺骨液を補助ホッパー３０に落下させる前に、前記ピストン４２の端部に備えられた切断刃４３でカットすることになる。
【００５９】
このように、カットされる遺骨液は所定間隔で前記回動ドラム５のスクリュー形状の溝５０に順次一定間隔で落下して、溝５０に安着することになる。
【００６０】
この際、モーター６の駆動によってメーンプーリー６１が駆動し、これによってベルト６２で連結された駆動プーリー６０が駆動されることにより前記回動ドラム５０が回転運動し、このように回転運動によって落下した前記遺骨液は室温で徐々に冷却しながら真球形の舎利に製造され、前記スクリュー形状の溝５０に沿って回動し、前記回動ドラム５の後半部に移動すれば、結局前記回動ドラム５の端部に到逹することになり、前記ハウジング３の一側下端に備えられた吐出口３３を通じて吐出され、このように吐出された舎利は真円形に完成される。
【００６１】
一方、前記本発明の回動ドラム５が損傷するか、またはその他洗浄が必要な場合には、前記上板３１に締結されたネジをハウジング３から分離させて解放することにより、前記回動ドラム５の補修及びその他の洗浄だけでなく、回動ドラム５の取り換えも可能にしたものである。
【００６２】
一方、長期間にわたる使用の際、前記回動ドラム５の外周面形成された溝５０に遺骨液の異物がついていることにより、遺骨液が舎利に製造される過程で、溝５０に沿って玉、つまり固体化した遺骨液の移動が円滑でなく、さらに前記ハウジング３と回動ドラム５の間の間隔、例えば直径の大きい舎利を製造するためには、ハウジング３の内側面と回動ドラム５の外側面の間の間隔調節が必要であり、また、長期間使用によって減少したベルト６２の張力、または回動ドラム５とハウジング３の間の間隔を調節するために、ベルト６２の調節が必要である。このために、前記回動取っ手３５を回動させれば、前記固定部材３４が上下にスライドすることにより、回動ドラム５とハウジング３の間の間隔調節を容易に行うことができる。
【００６３】
本発明の多様な変形、追加及び置換が可能である。したがって、本発明の前述した実施例に限定されず、以降の特許請求の範囲とともに等価物の全範囲によって限定される。
【産業上の利用可能性】
【００６４】
本発明によれば、人の死体から得られる遺骨粉またはペットなどの死体から得られる遺骨粉など、使用範囲に関係なく設置して、整形化した舎利製造装置の大量生産が可能になり、これによる生産価の節減効果などの産業上利用可能性を確保することができる。
【図面の簡単な説明】
【００６５】
本発明の前記および他の特徴および利点は添付図面を参照する以降の詳細な説明からより明らかに理解可能であろう。
【図１】本発明の第１実施例の一舎利製造装置を示す斜視図；
【図２】本発明の第１実施例による舎利製造装置の内部構造を示す斜視図；
【図３】本発明の第１実施例による図１に示す舎利製造装置の背面側構造を示す斜視図；
【図４】本発明の第１実施例による舎利製造装置の冷却部側面を示す概略図；
【図５】本発明の第２実施例による舎利製造装置を示す斜視図；
【図６】本発明の第２実施例による舎利製造装置の分解斜視図；
【図７】本発明の第２実施例による舎利製造装置の完成された状態の斜視図；
【図８】本発明の第２実施例による舎利製造装置の主要部斜視図；
【図９】本発明の第２実施例による舎利製造装置の主要部分解斜視図；
【図１０】本発明の第２実施例による舎利製造装置のシリンダーにピストンが出入する状態を示す斜視図；
【図１１】本発明の第２実施例による舎利製造装置のハウジングの上板が開放した状態で回動ドラムのスライド状態を示す斜視図；
【図１２】本発明の第２実施例による舎利製造装置の使用状態を示す主要部断面図；および
【図１３】本発明の第２実施例において、遺骨溶融液を利用して舎利を製造する回転ドラムの作動状態を示す斜視図である。
【図１】
2009538407.tif 000003
【図２】
2009538407.tif 000004
【図３】
2009538407.tif 000005
【図４】
2009538407.tif 000006
【図５】
2009538407.tif 000007
【図６】
2009538407.tif 000008
【図７】
2009538407.tif 000009
【図８】
2009538407.tif 000010
【図９】
2009538407.tif 000011
【図１０】
2009538407.tif 000012
【図１１】
2009538407.tif 000013
【図１２】
2009538407.tif 000014
【図１３】
2009538407.tif 000015
【国際調査報告】
2009538407.tif 000016
2009538407.tif 000017